(57)【特許請求の範囲】
【請求項１】
軟弱地盤に穿孔機９により円筒状の孔を穿設後に、コンクリートを注入して円柱状に構成した柱状改良基礎１の、地中に長く伸びた状態の円柱状の柱状改良基礎１の上端の一部のみと、該柱状改良基礎１の上に立設する住宅基礎２を、該円柱状の柱状改良基礎１の中心部を通過する面と、該住宅基礎２の縦鉄筋３の部分が露出する面により切断して、断面セクション体を構成し、該柱状改良基礎１と住宅基礎２の断面の前面には、透明樹脂板１２を立設し、軟弱地盤改良部の切断面を視認可能としたことを特徴とする軟弱地盤改良部の体験装置。
【発明の詳細な説明】
【０００１】
【発明の属する技術分野】
本発明は、住宅建築予定者が見学する住宅展示場や、住宅建築会社の設計打合せの為の空間等に配置する軟弱地盤改良部の体験装置に関する。
【０００２】
【従来の技術】
従来は、住宅の建築に当たって、住宅建築予定者と住宅建築会社の設計者の間で、軟弱地盤改良機構や、基礎の構造等について検討することは無かったのである。
【０００３】
【発明が解決しようとする課題】
住宅の基礎や軟弱地盤改良機構については、住宅建築会社の設計者が独自に、建設予定地を見た時点で決定することであり、その都度、住宅建築予定者に相談したり、了承を得たりすることではなかったのである。
しかし、近年、ＰＬ法の規定が厳格になり、建築完工後に地盤が沈下したり、地盤が傾斜して、住宅に不具合が発生した場合には、住宅建築会社にこの責任が負わされることとなり、必要な軟弱地盤改良は、住宅建築予定者の許可を得て確実に行う必要が発生してきたのである。
このように、軟弱地盤改良部が必要な場合において、どのような機構で軟弱地盤改良部を構成するのかが、住宅建築予定者に対して説明できないと、確実に承認を得ることが出来ないのである。
本発明は、基礎の構造や、床の部分の構造等を確実に説明した上で、更に該建設予定地が軟弱地盤の場合において、この地盤を確実に沈下しない地盤とする為の柱状改良基礎をする場合の構成をも、視認可能としたものである。
【０００４】
【課題を解決するための手段】
本発明の解決しようとする課題は以上の如くであり、次に該課題を解決するための手段を説明する。
軟弱地盤に穿孔機９により円筒状の孔を穿設後に、コンクリートを注入して円柱状に構成した柱状改良基礎１の、地中に長く伸びた状態の円柱状の柱状改良基礎１の上端の一部のみと、該柱状改良基礎１の上に立設する住宅基礎２を、該円柱状の柱状改良基礎１の中心部を通過する面と、該住宅基礎２の縦鉄筋３の部分が露出する面により切断して、断面セクション体を構成し、該柱状改良基礎１と住宅基礎２の断面の前面には、透明樹脂板１２を立設し、軟弱地盤改良部の切断面を視認可能としたものである。
【０００５】
【発明の実施の形態】
次に本発明の実施の形態を説明する。
図１は軟弱地盤改良部の体験装置の正面図、図２は軟弱地盤改良部の体験装置と共に併置されている床構造断面セクション装置の斜視図、図３は軟弱地盤改良部の体験装置と共に併置されている基礎構造断面セクションの斜視図、図４も同じく軟弱地盤改良部の体験装置と共に併置されている床構造断面セクションの斜視図、図５は軟弱地盤改良部の体験装置と共に併置されている基礎セクション見本の俯瞰図、図６は柱状改良基礎１と住宅基礎２の部分の斜視図、図７は柱状改良基礎１の為のコンクリート打設孔を開口している状態の斜視図、図８は砂利地業５と柱状改良基礎１の部分を示す斜視図、図９は住宅完工後の柱状改良基礎１の位置と深さを示す側面断面図、図１０は住宅の基礎と柱状改良基礎１との配置を示す平面図である。
【０００６】
図１においては、住宅展示場や住宅建築会社の設計打合せ場所において配置されている軟弱地盤改良部の体験装置の図面が示されている。該軟弱地盤改良部の体験装置は、柱状改良基礎１の断面図と、住宅基礎２の断面図より構成されている。該柱状改良基礎１は円柱状に構成されているが、該円柱状の柱状改良基礎１の中心を通過する面において切断されている。
また、実際は円柱状の柱状改良基礎１は、長さが４〜９メートルに達する長いものであるが、このような地中に長く伸びた状態で展示することは不可能であるので、１メートル以下の長さにして一部を展示している。住宅基礎２の部分には縦鉄筋３の部分が露出している。該柱状改良基礎１の断面と、住宅基礎２の断面の前面には、透明樹脂板１２が立設されている。
【０００７】
図２においては、床部分のセクション断面図と、住宅基礎２の部分のセクション断面図を同時に配置した展示装置が図示されている。この床と住宅基礎２の断面により、従来は関心を持たれることの少なかった床下の構成については、住宅建築予定者に十分の知識を持って、内容の確認を取るのである。
図３と図４と図５においては、住宅基礎２を構成する為の、メタル型枠７と埋め殺しカバー４の部分の構成が図示されている。該メタル型枠７と埋め殺しカバー４により、コンクリート打設空間を構成し、この中にコンクリートを打設して、鉄筋３と埋め込みボルト８と鉄筋載置台６等を一体的に埋め込むのである。
【０００８】
図６においては、柱状改良基礎１の構成とその上に構成した住宅基礎２の構成が図示されている。図１０に図示する如く、住宅基礎の下に、数メートルの間隔を置いて、柱状改良基礎１を構成している。該柱状改良基礎１の上に、住宅基礎２を構成する為にメタル型枠７と埋め殺しカバー４を立設するのである。そして、実際の柱状改良基礎１の長さは、図９に示す如く、住宅１５の下方に、略住宅と同じ高さの深さまで、柱状改良基礎１が構成されているのである。
【０００９】
図７と図８においては、柱状改良基礎１の構成の仕方を図示している。
即ち、柱状改良基礎１を構成する部分の砂利地業５の下方に、図７に示す如く、スパイラル式の穿孔機９により直径６０センチ程度の孔を穿設し、この孔の中に、コンクリートを注入して、柱状改良基礎１を構成するものである。柱状改良基礎１はコンクリートの柱であり、内部に鉄筋を配置している場合もある。そして、沖積地等の軟弱地盤において、住宅の建築後に地盤が沈下することの無いように、地盤を確固とした状態に固める為に構成するものである。この柱状改良基礎１は別に、コンクリート柱を打ち込んで埋設する場合もあるが、本実施例においては、スパイラル式の穿孔機９により孔を穿設して、その中にコンクリートを注入するという方法をとっている。
【００１０】
軟弱地盤改良部の体験装置において、メタル型枠７と埋め殺しカバー４によりコンクリート打設空間を構成し、該空間の中にコンクリートを打設して、鉄筋３と埋め込みボルト８と鉄筋載置台６等を一体的に埋め込んで構成した住宅基礎２の施工状態を断面した住宅の基礎部分の施工断面セクションを、該軟弱地盤改良部の体験装置と共に配置したので、該柱状改良基礎１と住宅基礎２との関係を、住宅建築予定者に十分に情報として与えることが出来るので、軟弱地盤が床や住宅全体に及ぼす影響を、確実に認識させることができて、完工後に発生するクレームを最低限度に抑えることが出来たのである。
【００１１】
軟弱地盤改良部の体験装置を、住宅の床部分を構成する、床や大引けや床パネルの施工状態を断面した、住宅の床部分の施工断面セクションと共に配置したので、地盤と柱状改良基礎１と住宅基礎２との関係や、床や大引けや床パネルとの関係を、住宅建築予定者が確実に認識することができて、住宅の外径やデザインだけでなく、床下や基礎や地盤についても、確実に認識した上で住宅建設に着工することができて、安心して住宅建設を依頼することが可能となったのである。
【００１２】
【発明の効果】
本発明は以上の如く構成したので、次のような効果を奏するものである。
軟弱地盤に穿孔機９により円筒状の孔を穿設後に、コンクリートを注入して円柱状に構成した柱状改良基礎１の、地中に長く伸びた状態の円柱状の柱状改良基礎１の上端の一部のみと、該柱状改良基礎１の上に立設する住宅基礎２を、該円柱状の柱状改良基礎１の中心部を通過する面と、該住宅基礎２の縦鉄筋３の部分が露出する面により切断して、断面セクション体を構成し、該柱状改良基礎１と住宅基礎２の断面の前面には、透明樹脂板１２を立設し、軟弱地盤改良部の切断面を視認可能としたので、住宅建築会社の設計者と、住宅建築予定者の間で、地盤改良の必要性と、地盤改良をする場合にどの様な方法で軟弱地盤改良工事が進められるかを、具体的に話し合うことが可能となり、事前に十分の打合せと、費用の見積もり等を行うことが出来るので、住宅の完工後において、費用の誤算が発生することが少ないのである。
また、従来はあまり住宅建築予定者の間で打合せをしたり、地盤改良について話し合う資料が無かったのであるが、本発明のような軟弱地盤改良部の体験装置を配置することにより、住宅建築予定者と設計者の間で、視認出来る形で十分の検討と打合せをすることが可能となったのである。
【図面の簡単な説明】
【図１】  軟弱地盤改良部の体験装置の正面図。
【図２】  軟弱地盤改良部の体験装置と共に併置されている床構造断面セクション装置の斜視図。
【図３】  軟弱地盤改良部の体験装置と共に併置されている基礎構造断面セクションの斜視図。
【図４】  同じく軟弱地盤改良部の体験装置と共に併置されている床構造断面セクションの斜視図。
【図５】  軟弱地盤改良部の体験装置と共に併置されている基礎セクション見本の俯瞰図。
【図６】  柱状改良基礎１と住宅基礎２の部分の斜視図。
【図７】  柱状改良基礎１の為のコンクリート打設孔を開口している状態の斜視図。
【図８】  砂利地業５と柱状改良基礎１の部分を示す斜視図。
【図９】  住宅完工後の柱状改良基礎１の位置と深さを示す側面断面図。
【図１０】  住宅の基礎と柱状改良基礎１との配置を示す平面図。
【符号の説明】
１  柱状改良基礎
２  住宅基礎
３  鉄筋
４  埋め殺しカバー
５  砂利地業
６  鉄筋載置台
７  メタル型枠
８  埋め込みボルト
９  スパイラル式の穿孔機
【図１】
0003737260.tif 000002
【図２】
0003737260.tif 000003
【図３】
0003737260.tif 000004
【図４】
0003737260.tif 000005
【図５】
0003737260.tif 000006
【図６】
0003737260.tif 000007
【図７】
0003737260.tif 000008
【図８】
0003737260.tif 000009
【図９】
0003737260.tif 000010
【図１０】
0003737260.tif 000011